(57)【特許請求の範囲】
【請求項１】
メッセージと前記メッセージの宛先情報を配信する放送システム（１）、リモコンを備えるテレビジョン（２）、前記メッセージを投稿するクライアント（３）および前記メッセージを配信するＳＮＳシステム（４）を用い、
前記放送システム（１）は、前記ＳＮＳシステム（４）から前記宛先情報と対応づけられた前記メッセージを受信する過程と、前記メッセージと前記宛先情報を含む放送を前記テレビジョン（２）に配信する過程を含み、
前記テレビジョン（２）は、前記放送システム（１）から前記放送を受信する過程と、前記クライアント（３）の所定の操作に応じて、前記メッセージを表示する過程と、前記宛先情報を前記クライアント（３）側に送信する過程を含み、
前記クライアント（３）は、前記テレビジョン（２）側から前記宛先情報を受信する過程と、前記ＳＮＳシステム（４）から前記宛先情報と対応づけられた前記メッセージを受信する過程と、前記メッセージを表示する過程と、前記宛先情報と対応づけられた前記メッセージを前記ＳＮＳシステム（４）に投稿する過程を含み、
前記ＳＮＳシステム（４）は、前記クライアント（３）から前記メッセージを受信する過程と、前記メッセージを前記放送システム（１）と前記クライアント（３）に配信する過程を含むことを特徴とするテレビジョン放送方法。
【請求項２】
メッセージと前記メッセージの宛先情報を配信する放送システム（１）、リモコンを備えるテレビジョン（２）、前記メッセージを投稿するクライアント（３）および前記メッセージを配信するＳＮＳシステム（４）を備え、
前記放送システム（１）は、前記ＳＮＳシステム（４）から前記宛先情報と対応づけられた前記メッセージを受信する手段と、前記メッセージと前記宛先情報を含む放送を前記テレビジョン（２）に配信する手段を備え、
前記テレビジョン（２）は、前記放送システム（１）から前記放送を受信する手段と、前記クライアント（３）の所定の操作に応じて、前記メッセージを表示する表示手段と、前記宛先情報を前記クライアント（３）側に送信する送信手段を備え、
前記クライアント（３）は、前記テレビジョン（２）側から前記宛先情報を受信する手段と、前記ＳＮＳシステム（４）から前記宛先情報と対応づけられた前記メッセージを受信する手段と、前記メッセージを表示する手段と、前記宛先情報と対応づけられた前記メッセージを前記ＳＮＳシステム（４）に投稿する手段を備え、
前記ＳＮＳシステム（４）は、前記クライアント（３）から前記メッセージを受信する手段と、前記メッセージを前記放送システム（１）と前記クライアント（３）に配信する手段を備えるテレビジョン放送システムに用いたことを特徴とする放送システム（１）。
【請求項３】
請求項２に記載のテレビジョン放送システムに用いたことを特徴とするテレビジョン（２）。
【請求項４】
コンピュータを、請求項２に記載のクライアント（３）として機能させるための制御プログラム。
【請求項５】
コンピュータを、請求項３に記載のテレビジョン（２）の前記表示手段および前記送信手段として機能させるための制御プログラム。
【発明の詳細な説明】
【技術分野】
【０００１】
本発明はテレビジョン放送方法に関する。
【背景技術】
【０００２】
従来、テレビジョン放送方法が知られる。例えば、特開２００２−３３５２２３号公報に記載の技術は、テレビジョン放送とペアのデータ放送を用いて、掲示板手段を提供し通信ネットワークを介して投稿メッセージを掲示板サーバに投稿する技術が開示されている。
【先行技術文献】
【特許文献】
【０００３】
【特許文献１】特開２００２−３３５２２３号公報
【発明の概要】
【発明が解決しようとする課題】
【０００４】
ところで、上記従来のテレビジョン放送方法は、ＣＭ（Commercial Message）放送の時間を含むテレビジョン放送中に、ＳＮＳ（Social Networking Service）サーバへの視聴者の投稿メッセージをテレビジョンで表示させることができるが、投稿メッセージ表示モードに切替えるために、テレビジョンのリモコンを操作しなければならないと言った問題があった。
【０００５】
そこで、本発明の目的は、ＳＮＳサーバへの投稿に利用するクライアントがかざされた場合に、テレビジョンを投稿メッセージ表示モードに切替えることが可能なテレビジョン放送方法を提供することにある。
【課題を解決するための手段】
【０００６】
上記課題を解決するため本発明のテレビジョン放送方法は、メッセージと前記メッセージの宛先情報を配信する放送システム（１）、リモコンを備えるテレビジョン（２）、前記メッセージを投稿するクライアント（３）および前記メッセージを配信するＳＮＳシステム（４）を用い、前記放送システム（１）は、前記ＳＮＳシステム（４）から前記宛先情報と対応づけられた前記メッセージを受信する過程と、前記メッセージと前記宛先情報を含む放送を前記テレビジョン（２）に配信する過程を含み、前記テレビジョン（２）は、前記放送システム（１）から前記放送を受信する過程と、前記クライアント（３）の所定の操作に応じて、前記メッセージを表示する過程と、前記宛先情報を前記クライアント（３）側に送信する過程を含み、前記クライアント（３）は、前記テレビジョン（２）側から前記宛先情報を受信する過程と、前記ＳＮＳシステム（４）から前記宛先情報と対応づけられた前記メッセージを受信する過程と、前記メッセージを表示する過程と、前記宛先情報と対応づけられた前記メッセージを前記ＳＮＳシステム（４）に投稿する過程を含み、前記ＳＮＳシステム（４）は、前記クライアント（３）から前記メッセージを受信する過程と、前記メッセージを前記放送システム（１）と前記クライアント（３）に配信する過程を含むことを特徴とする。
【発明の効果】
【０００７】
本発明によれば、テレビジョン放送方法は、ＳＮＳサーバ４への投稿に利用するクライアント３がかざされた場合に、テレビジョン２を投稿メッセージ表示モードに切替えることが可能となる。
【図面の簡単な説明】
【０００８】
【図１】実施形態のテレビジョン放送システムの構成図の一例である。
【発明を実施するための形態】
【０００９】
以下、本発明の一実施の形態について詳細に説明する。
【００１０】
図１は実施形態のテレビジョン放送システムの構成図の一例である。
テレビジョン放送システムは、例えば、テレビジョン放送とペアをなすデータ放送を用いて、放送番組や放送局を識別する投稿先識別子および視聴者にアカウントを付与するＳＮＳサーバ４から配信された視聴者の投稿メッセージを配信する手段を備える放送局１と、テレビジョン放送とデータ放送を受信する手段と、ＮＦＣペアリングを行う手段を備えるテレビジョン２と、ＮＦＣペアリングを行う手段を備えるクライアント３と、ＳＮＳサーバ４と、がインターネット１０などのネットワークシステムに接続されて構成される。テレビジョン２は、テレビジョン放送を表示する手段と、視聴者によりＮＦＣペアリングを用いたクライアント３がかざされたときに、投稿メッセージを表示するとともに、投稿先識別子をクライアント３に送信する手段を備える。クライアント３は、投稿先識別子を受信する手段と、視聴者に入力させた投稿メッセージを投稿先識別子と対応づけ、視聴者のアカウントを用いてＳＮＳサーバ４へ投稿する手段を備えることを特徴とする。
【００１１】
投稿メッセージは、視聴者にアカウントを付与するツイッター（登録商標）やフェイスブック（登録商標）に代表されるSocial Networking Serviceを提供するＳＮＳサーバ４への視聴者の投稿メッセージである。投稿先識別子は、放送番組や放送局に対応するアカウントやハッシュタグなどにあたる。放送局１はテレビジョン放送に関わる放送システムを構成している。また、ケーブルテレビジョンを構成してもよい。また、投稿先識別子を備える。
【００１２】
テレビジョン２、クライアント３、ＳＮＳサーバ４などの装置は、インターネット１０などのネットワークシステムに接続され、ＣＰＵ、ＲＯＭ、ＲＡＭ、記憶装置、ネットワーク通信回路、ＮＦＣ通信回路（テレビジョン２とクライアント３のみ）などを有するコンピュータ部を備える。
テレビジョン２は、自己のコンピュータ部により制御されるデジタル放送受信回路、レンダリング回路、ディスプレイ２０などを有するテレビジョン部を備える。また、操作リモコンが付属する。
クライアント３のコンピュータ部は、ディスプレイと一体となったタッチパネル３０を備える。
ＮＦＣは通信距離が１０ｃｍ程度に限定され、その最も特徴的な機能としてクライアント３をテレビジョン２に「かざす」だけで、簡単にテレビジョン２とクライアント３間のデータ通信を利用することができる。
【００１３】
次に、テレビジョン放送システムの処理を説明する。
＜各放送局の処理＞
各放送局１はＳＮＳサーバ４から自己の投稿先識別子が対応づけられた投稿メッセージの配信を受け、配信された投稿メッセージを操作端末のディスプレイに表示させ、スタッフに放送に適した投稿メッセージなどを選択させ、該投稿メッセージと投稿先識別子を含むデータ放送をテレビジョン放送とともに放送する。
【００１４】
＜各テレビジョンの処理＞
各テレビジョン２は、テレビジョン放送表示モードとして特定の放送局１からのテレビジョン放送を受信しレンダリングしてディスプレイ２０に表示する。
【００１５】
＜ＮＦＣペアリングの処理＞
視聴者はＳＮＳサーバ４と接続された状態で、かつ、ＮＦＣペアリングを用いたクライアント３をテレビジョン２にかざす。クライアント３をかざされた場合のテレビジョン２は、投稿メッセージ表示モードに切り替わり、データ放送から投稿先識別子を取得し、データ放送から投稿メッセージを取得しレンダリングするとともに、レンダリングしたテレビジョン放送をディスプレイ２０のテレビジョン放送表示領域２１に表示し、レンダリングした投稿メッセージをディスプレイ２０の投稿メッセージ表示領域２２に表示する。さらに、ＮＦＣペアリングを用いて、クライアント３に投稿先識別子を送信する。クライアント３は投稿先識別子の受信に応じて、ＳＮＳサーバ４から投稿先識別子が対応づけられた投稿メッセージをダウンロードしてタッチパネル３０に表示し、視聴者に投稿欄３１に投稿メッセージを入力させて、該投稿メッセージに該投稿先識別子を対応づけ、視聴者のアカウントを用いてＳＮＳサーバ４に送信する。
【００１６】
＜投稿メッセージの投稿・配信処理＞
ＳＮＳサーバ４は、各クライアント３から受信した投稿メッセージなどを自己の記憶装置に記憶するとともに、投稿先識別子に照らして該投稿メッセージなどを各放送局１と各クライアント３に配信することとなる。
【００１７】
上記実施形態によれば、テレビジョン放送システムは、ＳＮＳサーバ４への投稿に利用するクライアント３がかざされた場合に、テレビジョン２を投稿メッセージ表示モードに切替えることが可能となる。
【００１８】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１９】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００２０】
また、インターネット、ＬＡＮ等のネットワークシステムを介して制御プログラムをダウンロードし、インストールして実行するように構成することも可能である。
【符号の説明】
【００２１】
１…放送局，２…テレビジョン，３…クライアント，４…ＳＮＳサーバ
【要約】
【課題】ＳＮＳサーバへの投稿に利用するクライアントがかざされた場合に、テレビジョンを投稿メッセージ表示モードに切替えることが可能なテレビジョン放送方法を提供する。
【解決手段】放送局１は、ＳＮＳサーバ４からメッセージを受信する過程と、メッセージと宛先情報を含む放送をテレビジョン２に配信する過程を含み、テレビジョン２は、放送局１から放送を受信する過程と、クライアント３の所定の操作に応じて、メッセージを表示する過程と、宛先情報をクライアント３側に送信する過程を含み、クライアント３は、テレビジョン２側から宛先情報を受信する過程と、ＳＮＳサーバ４からメッセージを受信する過程と、宛先情報と対応づけられたメッセージをＳＮＳサーバ４に投稿する過程を含み、ＳＮＳサーバ４は、クライアント３からメッセージを受信する過程と、メッセージを放送局１とクライアント３に配信する過程を含むことを特徴とする。
【選択図】図１【図１】
0005503043.tif 000002